(57)【特許請求の範囲】
【請求項１】
複数の端末と監視装置とが通信可能に接続され、前記監視装置が前記端末との間で行うポーリング通信によって当該端末の有する監視情報を収集する監視システムであって、
前記端末は、前記監視装置から送信されたポーリング信号に従って前記監視装置とポーリング通信を行う端末側通信部と、端末側時刻を取得する端末側時計部と、前記監視情報を取得する監視情報取得部と、第１所定期間毎に前記監視情報取得部により取得された監視情報と前記端末側時計部により取得された端末側時刻とを関連付けた端末側時刻付き監視情報を記憶する端末側記憶部とを有し、
前記監視装置は、監視装置側時刻を取得して前記第１所定期間よりも短い第２所定期間ごとポーリング開始要求を発行する監視装置側時計部と、前記ポーリング開始要求に従ってポーリング通信を開始して前記端末から前記監視情報又は前記端末側時刻付き監視情報を取得する監視装置側通信部と、前記ポーリング開始要求が発行された時の監視装置側時刻と前記監視装置側通信部により取得された前記監視情報とを関連付けた監視装置側時刻付き監視情報を記憶する監視装置側記憶部とを備え、
前記監視装置は、前記第１所定期間内に含まれる第２所定期間のポーリング通信のうち何れかのポーリング通信によって前記端末側時刻付き監視情報を取得すること
を特徴とする監視システム。
【請求項２】
前記監視装置側記憶部は、前記監視装置側通信部によって前記端末の監視項目の属性を示す監視項目属性情報を記憶しており、
前記監視項目属性情報に基づいて前記端末のポーリング順序を示すポーリングスケジュールを組み立てるスケジュール作成部を更に備え、
前記監視装置側通信部は、前記スケジュール作成部により作成された前記ポーリングスケジュールに従ってポーリング通信を行うこと
を特徴とする請求項１に記載の監視システム。
【請求項３】
前記監視装置側通信部によって取得され前記監視装置側記憶部に記憶された端末側時刻付き監視情報の欠損状態を調べるデータ状態取得部を更に備え、
前記スケジュール作成部は、前記データ状態取得部により調べられた欠損情報に基づいて、欠損している端末側時刻付き監視情報を前記端末に要求しても前記第２所定期間を超えない場合に、前記欠損している端末側時刻付き監視情報を取得するよう前記ポーリングスケジュールを作成すること
を特徴とする請求項２に記載の監視システム。
【請求項４】
前記端末は、前記端末側時刻付き監視情報の項目として端末側時刻付き監視情報の保有数を有し、
前記スケジュール作成部は、前記端末側時刻付き監視情報の保有数を、前記監視装置側時刻と関連付けられる監視情報よりも優先度の低い監視情報としてポーリングスケジュールを作成すること
を特徴とする請求項３に記載の監視システム。  
【請求項５】
前記監視装置に対して監視情報を要求する割り込み要求が発生した場合に、前記端末側時刻付き監視情報よりも優先度が高い監視情報を取得するポーリング通信が終了した時まで待機して割り込み要求に応じたポーリング通信を行うことを特徴とする請求項２に記載の監視システム。
【請求項６】
前記スケジュール作成部は、前記監視装置側時刻と関連付けられる監視情報よりも優先度の低い監視情報として前記端末側時刻を前記監視装置側時刻に同期させるために必要な情報を設定してポーリング順序を決定し、
前記監視装置側通信部は、当該ポーリング順序で前記端末側時刻を前記監視装置側時刻に同期させるために必要な情報を前記端末に送信すること
を特徴とする請求項２に記載の監視システム。
【請求項７】
複数の端末と通信可能に接続され、前記端末との間で行うポーリング通信によって当該端末の有する監視情報を収集する監視装置であって、
監視装置側時刻を取得して、前記端末が監視情報を取得する第１所定期間よりも短い第２所定期間ごとポーリング開始要求を発行する監視装置側時計部と、
前記ポーリング開始要求に従ってポーリング通信を開始して前記端末から前記監視情報又は前記監視情報に端末側時刻が関連付けられた端末側時刻付き監視情報を取得する監視装置側通信部と、
前記ポーリング開始要求が発行された時の監視装置側時刻と前記監視装置側通信部により取得された前記監視情報とを関連付けた監視装置側時刻付き監視情報を記憶する監視装置側記憶部とを備え、
前記監視装置側通信部は、前記第１所定期間内に含まれる第２所定期間のポーリング通信のうち何れかのポーリング通信によって前記端末側時刻付き監視情報を取得すること
を特徴とする監視装置。
【請求項８】
複数の端末と通信可能に接続され、前記端末との間で行うポーリング通信によって当該端末の有する監視情報を収集する監視装置により実行されるプログラムであって、
前記監視装置に、
監視装置側時刻を取得して、前記端末が監視情報を取得する第１所定期間よりも短い第２所定期間ごとポーリング開始要求を発行し、
前記ポーリング開始要求に従ってポーリング通信を開始して前記端末から前記監視情報又は前記監視情報に端末側時刻が関連付けられた端末側時刻付き監視情報を取得し、
前記ポーリング開始要求が発行された時の監視装置側時刻と前記監視情報とを関連付けた監視装置側時刻付き監視情報を記憶部に記憶させ、
前記第１所定期間内に含まれる第２所定期間のポーリング通信のうち何れかのポーリング通信によって前記端末側時刻付き監視情報を取得すること
を実行させるための監視装置のプログラム。
【請求項９】
監視装置と通信可能に接続され、前記監視装置との間で行うポーリング通信によって監視情報を送信する端末装置であって、
前記監視装置から送信されたポーリング信号に従って前記監視装置とポーリング通信を行う端末側通信部と、
端末側時刻を取得する端末側時計部と、
前記監視情報を取得する監視情報取得部と、
第１所定期間毎に前記監視情報取得部により取得された監視情報と前記端末側時計部により取得された端末側時刻とを関連付けた端末側時刻付き監視情報を記憶する端末側記憶部とを有し、
前記端末側通信部は、前記第１所定期間内に含まれ、前記第１所定期間よりも短い第２所定期間のポーリング通信のうち、何れかのポーリング通信によって前記端末側記憶部に記憶された前記端末側時刻付き監視情報を送信し、それ以外のポーリング通信によって前記監視情報を送信することを特徴とする端末装置。
【請求項１０】
監視装置と通信可能に接続され、前記監視装置との間で行うポーリング通信によって監視情報を送信する端末装置のプログラムであって、
前記端末装置に、
第１所定期間毎に監視情報と端末側時刻とを関連付けた端末側時刻付き監視情報を端末側記憶部に記憶させ、
前記監視装置から送信されたポーリング信号に従って前記監視装置とポーリング通信を行って、前記第１所定期間内に含まれ、前記第１所定期間よりも短い第２所定期間のポーリング通信のうち、何れかのポーリング通信によって前記端末側記憶部に記憶された前記端末側時刻付き監視情報を送信し、それ以外のポーリング通信によって前記監視情報を送信すること
を実行させるための端末装置のプログラム。
【発明の詳細な説明】
【技術分野】
【０００１】
本発明は、端末と通信を行って端末の有する監視情報を取得する監視システム、監視装置及び監視装置のプログラム、端末装置及び端末装置のプログラムに関する。
【背景技術】
【０００２】
従来より、複数の端末によりデータを計測し、当該計測されたデータを監視装置が取得するために、各端末と監視装置との間でポーリング通信を行う監視システムが知られている（下記の特許文献１，２参照）。
【０００３】
特許文献１には、全端末に対するポーリングが一巡する可変長の１サイクル周期Ｔ１内に特定の端末に対するポーリングを繰返す可変長の小周期Ｔ２を割込み重畳させる、ことが記載されている。
【０００４】
特許文献２には、所定の周期でタイミング信号を出力するタイミング発生部と、所望の端末に対する送信内容を設定する設定部と、複数の端末にポーリングを順番に行ってデータを受信し、タイミング信号に基づいて所望の端末に送信内容を送信する通信処理部とを有し、通信処理部は、タイミング信号が入力されると、次の端末へのポーリングを中断して送信内容を送信することが記載されている。
【先行技術文献】
【特許文献】
【０００５】
【特許文献１】特開平０５−００７３８３号公報
【特許文献２】特開２００４−２９５７４５号公報
【発明の概要】
【発明が解決しようとする課題】
【０００６】
上述した監視システムにおいて端末から取得した計測データ（監視情報）の実時間性を確保することが望まれている。このため、端末によって、取得した計測データに当該計測データの取得時刻を示す時刻情報ラベルを付けて保存し、監視装置によって、取得時刻付きデータを収集することが考えられる。
【０００７】
しかし、実時間性を確保したい計測データが複数種類ある場合、端末は、複数の時刻情報付きデータを記憶部に保存する必要があり、必要な記憶部の容量を大きくする必要がある。
【０００８】
これに対し、監視装置が計測データを収集して時間情報ラベルを付して保存することが考えられる。しかし、所定の順序で端末とポーリング通信を行う方式では、監視装置が全端末にポーリング通信をするために長い通信処理時間を要することがあり、複数の端末から複数種類の計測データを取得した場合に実時間性を確保できない可能性がある。
【０００９】
そこで、本発明は、上述した実情に鑑みて提案されたものであり、複数の端末から複数種類の監視情報を取得する場合であっても、各監視情報の実時間性を確保できる監視システム、監視装置及び監視装置のプログラム、端末装置及び端末装置のプログラムを提供することを目的とする。
【課題を解決するための手段】
【００１０】
上記の課題を解決する第１の発明に係る監視システムは、複数の端末と監視装置とが通信可能に接続され、前記監視装置が前記端末との間で行うポーリング通信によって当該端末の有する監視情報を収集する監視システムであって、前記端末は、前記監視装置から送信されたポーリング信号に従って前記監視装置とポーリング通信を行う端末側通信部と、端末側時刻を取得する端末側時計部と、前記監視情報を取得する監視情報取得部と、第１所定期間毎に前記監視情報取得部により取得された監視情報と前記端末側時計部により取得された端末側時刻とを関連付けた端末側時刻付き監視情報を記憶する端末側記憶部とを有し、前記監視装置は、監視装置側時刻を取得して前記第１所定期間よりも短い第２所定期間ごとポーリング開始要求を発行する監視装置側時計部と、前記ポーリング開始要求に従ってポーリング通信を開始して前記端末から前記監視情報又は前記端末側時刻付き監視情報を取得する監視装置側通信部と、前記ポーリング開始要求が発行された時の監視装置側時刻と前記監視装置側通信部により取得された前記監視情報とを関連付けた監視装置側時刻付き監視情報を記憶する監視装置側記憶部とを備え、前記監視装置は、前記第１所定期間内に含まれる第２所定期間のポーリング通信のうち何れかのポーリング通信によって前記端末側時刻付き監視情報を取得することを特徴とする。
【００１１】
第１の発明に係る監視システムであって、第２の発明は、前記監視装置側記憶部は、前記監視装置側通信部によって前記端末の監視項目の属性を示す監視項目属性情報を記憶しており、前記監視項目属性情報に基づいて前記端末のポーリング順序を示すポーリングスケジュールを組み立てるスケジュール作成部を更に備え、前記監視装置側通信部は、前記スケジュール作成部により作成された前記ポーリングスケジュールに従ってポーリング通信を行うことを特徴とする。
【００１２】
第２の発明に係る監視システムであって、第３の発明は、前記監視装置側通信部によって取得され前記監視装置側記憶部に記憶された端末側時刻付き監視情報の欠損状態を調べるデータ状態取得部を更に備え、前記スケジュール作成部は、前記データ状態取得部により調べられた欠損情報に基づいて、欠損している端末側時刻付き監視情報を前記端末に要求しても前記第２所定期間を超えない場合に、前記欠損している端末側時刻付き監視情報を取得するよう前記ポーリングスケジュールを作成することを特徴とする。
【００１３】
第３の発明に係る監視システムであって、第４の発明は、前記端末は、前記端末側時刻付き監視情報の項目として端末側時刻付き監視情報の保有数を有し、前記スケジュール作成部は、前記端末側時刻付き監視情報の保有数を、前記監視装置側時刻と関連付けられる監視情報よりも優先度の低い監視情報としてポーリングスケジュールを作成することを特徴とする。  
第２の発明に係る監視システムであって、第５の発明は、前記監視装置に対して監視情報を要求する割り込み要求が発生した場合に、前記端末側時刻付き監視情報よりも優先度が高い監視情報を取得するポーリング通信が終了した時まで待機して割り込み要求に応じたポーリング通信を行うことを特徴とする。
【００１４】
第２の発明に係る監視システムであって、第６の発明は、前記スケジュール作成部は、前記監視装置側時刻と関連付けられる監視情報よりも優先度の低い監視情報として前記端末側時刻を前記監視装置側時刻に同期させるために必要な情報を設定してポーリング順序を決定し、前記監視装置側通信部は、当該ポーリング順序で前記端末側時刻を前記監視装置側時刻に同期させるために必要な情報を前記端末に送信することを特徴とする。
【００１５】
上記の課題を解決する第７の発明に係る監視装置は、複数の端末と通信可能に接続され、前記端末との間で行うポーリング通信によって当該端末の有する監視情報を収集する監視装置であって、監視装置側時刻を取得して、前記端末が監視情報を取得する第１所定期間よりも短い第２所定期間ごとポーリング開始要求を発行する監視装置側時計部と、前記ポーリング開始要求に従ってポーリング通信を開始して前記端末から前記監視情報又は前記監視情報に端末側時刻が関連付けられた端末側時刻付き監視情報を取得する監視装置側通信部と、前記ポーリング開始要求が発行された時の監視装置側時刻と前記監視装置側通信部により取得された前記監視情報とを関連付けた監視装置側時刻付き監視情報を記憶する監視装置側記憶部とを備え、前記監視装置側通信部は、前記第１所定期間内に含まれる第２所定期間のポーリング通信のうち何れかのポーリング通信によって前記端末側時刻付き監視情報を取得することを特徴とする。
【００１６】
上記の課題を解決する第８の発明に係る監視装置のプログラムは、複数の端末と通信可能に接続され、前記端末との間で行うポーリング通信によって当該端末の有する監視情報を収集する監視装置により実行されるプログラムであって、前記監視装置に、監視装置側時刻を取得して、前記端末が監視情報を取得する第１所定期間よりも短い第２所定期間ごとポーリング開始要求を発行し、前記ポーリング開始要求に従ってポーリング通信を開始して前記端末から前記監視情報又は前記監視情報に端末側時刻が関連付けられた端末側時刻付き監視情報を取得し、前記ポーリング開始要求が発行された時の監視装置側時刻と前記監視情報とを関連付けた監視装置側時刻付き監視情報を記憶部に記憶させ、前記第１所定期間内に含まれる第２所定期間のポーリング通信のうち何れかのポーリング通信によって前記端末側時刻付き監視情報を取得することを実行させる。
【００１７】
上記の課題を解決する第９の発明に係る端末装置は、監視装置と通信可能に接続され、前記監視装置との間で行うポーリング通信によって監視情報を送信する端末装置であって、前記監視装置から送信されたポーリング信号に従って前記監視装置とポーリング通信を行う端末側通信部と、端末側時刻を取得する端末側時計部と、前記監視情報を取得する監視情報取得部と、第１所定期間毎に前記監視情報取得部により取得された監視情報と前記端末側時計部により取得された端末側時刻とを関連付けた端末側時刻付き監視情報を記憶する端末側記憶部とを有し、前記端末側通信部は、前記第１所定期間内に含まれ、前記第１所定期間よりも短い第２所定期間のポーリング通信のうち、何れかのポーリング通信によって前記端末側記憶部に記憶された前記端末側時刻付き監視情報を送信し、それ以外のポーリング通信によって前記監視情報を送信することを特徴とする。
【００１８】
上記の課題を解決する第１０の発明に係る端末装置のプログラムは、監視装置と通信可能に接続され、前記監視装置との間で行うポーリング通信によって監視情報を送信する端末装置のプログラムであって、前記端末装置に、第１所定期間毎に監視情報と端末側時刻とを関連付けた端末側時刻付き監視情報を端末側記憶部に記憶させ、前記監視装置から送信されたポーリング信号に従って前記監視装置とポーリング通信を行って、前記第１所定期間内に含まれ、前記第１所定期間よりも短い第２所定期間のポーリング通信のうち、何れかのポーリング通信によって前記端末側記憶部に記憶された前記端末側時刻付き監視情報を送信し、それ以外のポーリング通信によって前記監視情報を送信することを実行させる。
【発明の効果】
【００１９】
本発明によれば、第１所定期間内に含まれる第２所定期間のポーリング通信のうち何れかのポーリング通信によって監視装置が端末側時刻付き監視情報を取得するので、複数種類の監視情報をポーリング通信によって監視装置が取得したい場合であっても、高い実時間性が要求される監視情報を端末側時刻付き監視情報として取得できる。これにより、本発明は、各監視情報の実時間性を確保できる。
【図面の簡単な説明】
【００２０】
【図１】本発明の一実施形態として示す監視システムの構成を示すブロック図である。
【図２】本発明の一実施形態として示す監視システムの他の構成を示すブロック図である。
【図３】本発明の一実施形態として示す監視システムにおけるポーリングスケジュールを示す図であり、（ａ）は３Ｎ分のポーリング順序、（ｂ）は３Ｎ＋１分のポーリング順序、（ｃ）は２分のポーリング順序、（ｄ）は３Ｎ＋２分のポーリング順序、である。
【図４】本発明の一実施形態として示す監視システムにおいてポーリングスケジュールに従ったポーリング通信処理のシーケンス図であり、（ａ）は３Ｎ分のポーリングシーケンス、（ｂ）は３Ｎ＋１分のポーリングシーケンス、（ｃ）は２分のポーリングシーケンス、（ｄ）は３Ｎ＋２分のポーリングシーケンス、である。
【図５】本発明の一実施形態として示す監視システムにおいて監視装置によって補完ポーリング通信処理を行う処理手順を示すフローチャートである。
【図６】本発明の一実施形態として示す監視システムにおいて、補完ポーリング通信処理によって行われるポーリング通信処理のシーケンス図である。
【図７】本発明の一実施形態として示す監視システムにおけるポーリングスケジュールを示す図であり、（ａ）は３Ｎ＋２分のポーリング順序、（ｂ）は５９分のポーリング順序、である。
【図８】本発明の一実施形態として示す監視システムにおいてポーリングスケジュールに従ったポーリング通信処理のシーケンス図であり、（ａ）は３Ｎ＋２分のポーリングシーケンス、（ｂ）は５９分のポーリングシーケンス、である。
【図９】本発明の一実施形態として示す監視システムにおいて、監視装置に記憶された端末側時刻付き計測データの状態を示す図である。
【図１０】本発明の一実施形態として示す監視システムにおいて、端末に記憶された端末側時刻付き計測データの状態を示す図である。
【図１１】本発明の一実施形態として示す監視システムにおいて、割り込み要求が発生したときの処理手順を示すフローチャートである。
【図１２】本発明の一実施形態として示す監視システムにおけるポーリングスケジュールを示す図であり、（ａ）は高優先度データをポーリング通信しているときの割り込みポーリング通信処理のポーリング通信処理のシーケンス、（ｂ）は高優先度データ以外をポーリング通信しているときの割り込みポーリング通信処理のポーリング通信処理のシーケンス、である。
【図１３】本発明の一実施形態として示す監視システムにおいて、端末側時刻を監視側時刻に同期させるための情報を送信するシーケンス図である。
【発明を実施するための形態】
【００２１】
以下、本発明の実施の形態について図面を参照して説明する。
【００２２】
本発明の実施形態として示す監視システムは、図１に示すように、監視装置１０と複数の端末２０Ａ，２０Ｂ，２０Ｃ，・・・（以下、総称するときには単に「端末２０」と呼ぶ。）とが、ネットワークＮＷを介して通信可能に接続されている。この監視システムは、監視装置１０によって端末２０が取得した計測データ（監視情報）を収集するものである。このため、各端末２０が計測データを有し、監視装置１０は、各端末２０との間でポーリング通信を行う。
【００２３】
この監視システムによって収集される計測データは、実時間性が確保されることが望まれるデータである。この実時間性とは、計測データを取得した実際の時刻と、当該計測データに付加される時刻情報とが一致しているほど良好である。
【００２４】
この実時間性を確保したい計測データとは、例えば第１所定期間Ａごとに計測された電力量や、第２所定期間Ｂごとに計測された累積電力量、電力、電流、電圧等の瞬時値が挙げられる。ここで、第１所定期間Ａは、時間単位、日単位、月単位であることが挙げられる。また、第２所定期間Ｂは、第１所定期間Ａよりも短い分単位となることが挙げられる。
【００２５】
この計測データのうち、特に時間単位や月単位の電力量である期間計測データは、当該電力量を用いた課金に関連する。したがって、期間計測データには、非常に高い実時間性の精度が求められる。一方、電圧等の瞬時値の瞬時計測データは、端末２０を含む設備運用の監視や省エネの詳細分析に用いられる。このため、瞬時計測データにも、ある程度の実時間性が求められる。すなわち、電圧等の瞬時値の瞬時計測データは、時間別や月別の電力量といった期間計測データに求められる実時間性よりは低い実時間性で足りる。
【００２６】
また、ポーリング通信の対象となるデータは、端末２０による計測に関わる動作パラメータ情報、エラー情報、動作状態情報が含まれる。動作パラメータ情報は、例えば電力計測をする端末２０の場合、相線式の種類、センサの種類等の情報が含まれる。エラー情報は、端末２０のハード異常や動作パラメータ設定異常を識別する情報である。動作状態情報は、端末側時刻や計測状態を含む。これらのデータは、瞬時計測データと同様の実時間性が要求される。
【００２７】
端末２０Ａ，２０Ｂ，２０Ｃ，・・・は、端末側通信部２１Ａ，２１Ｂ，２１Ｃ，・・・、端末側計測部２２Ａ，２２Ｂ，２２Ｃ，・・・、端末側記憶部２３Ａ，２３Ｂ，２３Ｃ，・・・、端末側時計部２４Ａ，２４Ｂ，２４Ｃ，・・・を有する。なお、端末側通信部２１Ａ，２１Ｂ，２１Ｃ，・・・は、総称するときには単に「端末側通信部２１」と呼ぶ。端末側計測部２２Ａ，２２Ｂ，２２Ｃ，・・・は、総称するときには単に「端末側計測部２２」と呼ぶ。端末側記憶部２３Ａ，２３Ｂ，２３Ｃ，・・・は、総称するときには単に「端末側記憶部２３」と呼ぶ。端末側時計部２４Ａ，２４Ｂ，２４Ｃ，・・・は、総称するときには単に「端末側時計部２４」と呼ぶ。
【００２８】
この端末２０は、記憶部や通信Ｉ／Ｆ回路、ＣＰＵ及びプログラムを含むコンピュータであり、ＣＰＵがプログラムを実行する。これにより、端末２０のプログラムは、後述するように、監視情報を取得してポーリング通信を行って監視情報を送信する手順を実行させる。
【００２９】
端末側計測部２２は、例えば、累積電力量、電力値、電圧値、電流値、力率値、温度値、湿度値等の瞬時計測データを計測する計測装置やセンサ等である。また、端末側計測部２２は、第１所定期間Ａに積算した電力量等の期間計測データを計測する計測装置を含む。なお、端末側計測部２２は、センサや計測装置に接続されているのみであっても良い。
【００３０】
端末２０は、端末側時計部２４によって計時された第１所定期間Ａとなるタイミングで、端末側計測部２２によって取得された期間計測データを取得する。端末側計測部２２によって期間計測データを取得した場合には、端末側記憶部２３は、当該期間計測データと、当該取得した端末側時刻とを関連付けて端末側時刻付き計測データとして記憶する。
【００３１】
端末側通信部２１は、ネットワークＮＷを介して監視装置１０との間でポーリング通信を行う。端末側通信部２１は、監視装置１０から送信されたポーリング信号を受信する。その後、端末側通信部２１は、瞬時計測データ又は端末側時刻付き計測データを取得する。このとき、端末側通信部２１は、端末側記憶部２３に記憶された端末側時刻付き計測データを取得する動作又は端末側計測部２２によって取得された瞬時計測データを取得して、監視装置１０に送信する。
【００３２】
このような端末２０は、期間計測データには端末側時刻を付して端末側時刻付き計測データとして端末側記憶部２３に記憶する。一方、端末２０は、瞬時計測データには時刻情報を付して端末側記憶部２３には記憶しない。
【００３３】
監視装置１０は、処理部１１に、監視側記憶部１２、監視側時計部１３、監視側通信部１４が接続されている。この監視装置１０は、記憶部や通信Ｉ／Ｆ回路、ＣＰＵ及びプログラムを含むコンピュータであり、ＣＰＵがプログラムを実行する。これにより、監視装置１０のプログラムは、後述するポーリング通信によって監視情報を取得して記憶する手順を実行させる。
【００３４】
監視側時計部１３は、監視側時刻情報を取得して監視装置１０における第１所定期間Ａよりも短い第２所定期間Ｂごとポーリング開始要求を発行する。このポーリング開始要求は監視側通信部１４に供給される。
【００３５】
監視側通信部１４は、ポーリング開始要求に従ってポーリング通信を開始し、ポーリング信号を端末２０に送信する。その後、監視側通信部１４は、ポーリング信号を送信した端末２０から瞬時計測データ又は期間計測データを含む端末側時刻付き計測データを取得する。
【００３６】
監視側通信部１４により瞬時計測データが取得された場合、監視装置側記憶部１２は、ポーリング開始要求が発行された時の監視側時刻と当該瞬時計測データとを関連付けて、監視側時刻付き計測データとして記憶する。また、監視側通信部１４により期間計測データを含む端末側時刻付き計測データが取得された場合、監視装置側記憶部１２は、そのまま端末側時刻付き計測データを記憶する。
【００３７】
この監視装置１０は、第１所定期間Ａ内に含まれる第２所定期間Ｂのポーリング通信のうち何れかのポーリング通信によって端末側時刻付き計測データを取得する。これにより、この監視システムは、長い第１所定期間Ａ毎と当該第１所定期間Ａよりも短い第２所定期間Ｂ毎の２つの計測データの実時間性の確保が安価に実現できる。
【００３８】
例えば、監視装置１０側で分単位、端末２０側で時間単位の時刻情報のラベルを計測データに付けることができる。ここで、端末２０によって計測データが取得されるために端末２０によって時刻情報を計測データに付した方が、当該計測データの実時間性が高い。しかし、全種類の計測データに端末側時刻を付して端末側記憶部２３に記憶させると、端末側記憶部２３に多くの記憶容量が必要となる。
【００３９】
したがって、この監視システムは、高い実時間性が要求される計測データには端末２０によって端末側時刻を付し、あまり実時間性が要求されない計測データには監視装置１０によって監視側時刻を付す。したがって、複数種類の計測データをポーリング通信によって監視装置１０が取得したい場合であっても、各計測データの実時間性を確保できる。
【００４０】
また、この監視システムによれば、瞬時計測データを端末側記憶部２３に記憶させないので、各端末２０を安価なものとできる。
【００４１】
つぎに、本発明の実施形態として示す上述した監視システムにおいて、監視装置１０によって、端末２０の監視項目属性情報に基づいてポーリング順序を示すポーリングスケジュールを作成する機能を追加したものについて説明する。この監視システムは、図２に示すように、監視装置１０に、データ状態取得部１５、外部通信部１６、スケジュール作成部１７を含む。この監視装置１０も、記憶部や通信Ｉ／Ｆ回路、ＣＰＵ及びプログラムを含むコンピュータであり、ＣＰＵがプログラムを実行する。これにより、監視装置１０のプログラムは、後述するポーリング通信によって監視情報を取得して記憶する手順を実行させる。
【００４２】
監視項目属性情報は、監視側記憶部１２に記憶されている。監視項目属性情報は、端末２０の監視項目の属性を示す。監視項目属性情報は、例えば、監視する端末２０の端末情報（１，２，３，・・・）と、当該端末２０の種別を含む。端末２０の種別は、期間計測データを計測する電力計測端末であることの識別情報、期間計測データを計測しない電力計測端末であることの識別情報、温湿度計測端末であることの識別情報等を含む。
【００４３】
スケジュール作成部１７は、監視項目属性情報に基づいて端末２０のポーリング順序を示すポーリングスケジュールを組み立てる。そして、監視装置１０における監視側通信部１４は、スケジュール作成部１７により作成されたポーリングスケジュールに従ってポーリング通信を行う。
【００４４】
具体的には、スケジュール作成部１７は、図３に示すようなポーリングスケジュールを作成し、監視装置１０は、図４に示すようにポーリング通信を行う。
【００４５】
監視装置１０のスケジュール作成部１７は、１分単位の第２所定期間Ｂごとの実時間性を確保する電力値等の瞬時計測データを高優先度データとして割り付ける。一方、端末２０の処理部１１は、１時間単位の第１所定期間Ａの実時間性を確保する期間計測データ（端末側時刻付き計測データ）を低優先度データとして割り付ける。また、端末２０の処理部１１は、その他の監視データとしての端末２０自身の動作パラメータ情報、エラー情報、動作状態情報も低優先度データとして割り付ける。なお、図４において、端末２０によって実時間性を確保する端末側時刻付き計測データは、低優先度データＤで表している。
【００４６】
そして、監視装置１０のスケジュール作成部１７は、ポーリングスケジュール全体に亘って、第２所定期間Ｂ内で優先的に高優先度データを取得するようポーリング順序をスケジュールする。また、スケジュール作成部１７は、第１所定期間Ａ内に含まれる第２所定期間Ｂのポーリング通信のうち何れかのポーリング通信によって低優先度データを取得するようポーリング順序をスケジュールする。
【００４７】
ここで、スケジュール作成部１７は、端末２０によって実時間性を確保するデータ（端末側時刻付き計測データを含む）を、第１所定期間Ａ内に少なくとも１回は取得するようスケジュールする。また、監視装置１０が監視する端末２０の台数と番号（図３の例では１〜５の５台）、端末２０の種別も考慮してポーリング順序のスケジュールを組み立てる。
【００４８】
これにより、図３に示すように、第２所定期間Ｂごとに、（ａ）、（ｂ）、（ｃ）、（ｄ）の順序でポーリング通信を行う。
【００４９】
先ず３Ｎ分（Ｎ＝０，１，…，１９）から開始する第２所定期間Ｂの期間では、図３（ａ）及び図４（ａ）に示すようにポーリング通信を行う。このポーリング通信では、ポーリング順序１〜５に従って、電力等の瞬時計測データである高優先度データＡ１〜Ａ５を取得するために、監視装置１０から端末番号が１〜５の端末２０に順次ポーリング信号を送信する。これにより、監視装置１０は、端末番号が１〜５の端末２０から高優先度データＡ１〜Ａ５を取得できる。その後、ポーリング順序が６〜１０のポーリング通信では、端末２０の動作パラメータ情報である低優先度データＢ１〜Ｂ５を取得するために、監視装置１０から端末番号が１〜５の端末２０に順次ポーリング信号を送信する。これにより、監視装置１０は、端末番号が１〜５の端末２０から低優先度データＢ１〜Ｂ５を取得できる。監視装置１０は、高優先度データＡ１〜Ａ５及び低優先度データＢ１〜Ｂ５を取得するポーリング開始要求を発行した時の監視側時刻を付して監視側記憶部１２に記憶する。
【００５０】
次の３Ｎ＋１分（Ｎ＝０，１，…，１９）から開始する第２所定期間Ｂの期間では、図３（ｂ）及び図４（ｂ）に示すようにポーリング通信を行う。このポーリング通信では、ポーリング順序１〜５に従って、電力等の瞬時計測データである高優先度データＡ１〜Ａ５を取得するために、監視装置１０から端末番号が１〜５の端末２０に順次ポーリング信号を送信する。これにより、監視装置１０は、端末番号が１〜５の端末２０から高優先度データＡ１〜Ａ５を取得できる。その後、ポーリング順序が６〜１０のポーリング通信では、端末２０のエラー情報や動作状態情報である低優先度データＣ１〜Ｃ５を取得するために、監視装置１０から端末番号が１〜５の端末２０に順次ポーリング信号を送信する。これにより、監視装置１０は、端末番号が１〜５の端末２０から低優先度データＣ１〜Ｃ５を取得できる。監視装置１０は、高優先度データＡ１〜Ａ５及び低優先度データＣ１〜Ｃ５を取得するポーリング開始要求を発行した時の監視側時刻を付して監視側記憶部１２に記憶する。
【００５１】
次の２分から開始する第２所定期間Ｂの期間では、図３（ｃ）及び図４（ｃ）に示すようにポーリング通信を行う。このポーリング通信では、ポーリング順序１〜５に従って、電力等の瞬時計測データである高優先度データＡ１〜Ａ５を取得するために、監視装置１０から端末番号が１〜５の端末２０に順次ポーリング信号を送信する。これにより、監視装置１０は、端末番号が１〜５の端末２０から高優先度データＡ１〜Ａ５を取得できる。その後、ポーリング順序が６〜１０のポーリング通信では、端末２０の端末側時刻付き計測データである低優先度データＤ１〜Ｄ５を取得するために、監視装置１０から端末番号が１〜５の端末２０に順次ポーリング信号を送信する。これにより、監視装置１０は、端末番号が１〜５の端末２０から低優先度データＤ１〜Ｄ５を取得できる。監視装置１０は、高優先度データＡ１〜Ａ５を取得するポーリング開始要求を発行した時の監視側時刻を付して監視側記憶部１２に記憶する。一方、監視装置１０は、低優先度データＤには端末側時刻が付されているので、そのまま監視側記憶部１２に記憶する。
【００５２】
次の３Ｎ＋２分（Ｎ＝１，…，１９）から開始する第２所定期間Ｂの期間では、図３（ｄ）及び図４（ｄ）に示すようにポーリング通信を行う。このポーリング通信では、ポーリング順序１〜５に従って、電力等の瞬時計測データである高優先度データＡ１〜Ａ５を取得するために、監視装置１０から端末番号が１〜５の端末２０に順次ポーリング信号を送信する。これにより、監視装置１０は、端末番号が１〜５の端末２０から高優先度データＡ１〜Ａ５を取得できる。監視装置１０は、高優先度データＡ１〜Ａ５を取得するポーリング開始要求を発行した時の監視側時刻を付して監視側記憶部１２に記憶する。
【００５３】
以上のように、この監視システムによれば、監視項目属性情報から、瞬時計測データを高優先度データとし、期間計測データを低優先度データとして設定してポーリング順序をスケジュールする。これにより、監視システムは、瞬時計測データの実時間性を高めることができる。
【００５４】
また、監視システムは、瞬時計測データの実時間性を端末２０で確保する必要がない。したがって、この監視システムによれば、瞬時計測データの時刻を記憶する必要が無いために端末２０の端末側記憶部２３の容量を多くする必要が無く、複数種類の計測データの実時間性を確保するシステムを安価に実現できる。
【００５５】
つぎに、上述した監視システムにおいて、監視装置１０における端末側時刻付き計測データの欠損を復旧するものについて説明する。
【００５６】
この監視システムは、監視装置１０のデータ状態取得部１５によって、監視側通信部１４によって取得され監視側記憶部１２に記憶された端末側時刻付き計測データの欠損状態を調べるものについて説明する。そして、スケジュール作成部１７は、データ状態取得部１５により調べられた欠損情報に基づいて、欠損している端末側時刻付き計測データを取得するようポーリングスケジュールを作成する。このとき、スケジュール作成部１７は、欠損している端末側時刻付き計測データを端末２０に要求しても第１所定期間Ａを超えない場合に、欠損している端末側時刻付き計測データを取得するようポーリングスケジュールを作成する。
【００５７】
データ状態取得部１５は、監視側記憶部１２に記憶されている端末側時刻付き計測データを時系列に並べ、略第１所定期間Ａごとに端末側時刻付き計測データが無い場合には、当該期間の端末側時刻付き計測データが欠損していることを判定する。端末側時刻付き計測データが欠損する場面としては、停電や通信遮断等によってポーリング通信が行えなかった場合等が挙げられる。この場合に、スケジュール作成部１７は、欠損している端末側時刻付き計測データを取得するようポーリングスケジュールを作成する。
【００５８】
このとき、監視装置１０は、図５に示すように、処理部１１によってポーリングスケジュールを作成するポーリングスケジュール処理の開始要求が発行されると、スケジュール作成部１７によってステップＳ１以降の処理を開始する。このポーリングスケジュール処理は、第２所定期間Ｂ以内に１回行われる。
【００５９】
ステップＳ１において、スケジュール作成部１７は、定期的に取得する必要がある端末２０の種別に応じた高優先度データ及び低優先度データごとに、ポーリング順序を割り付ける。そして、定期的に取得する必要がある全ての高優先度データ及び低優先度データについてポーリング順序の割り付けが決定した場合に、ポーリングスケジュールの作成が完了したと判定して、ポーリングスケジュール処理が完了したと判定する。
【００６０】
その後、スケジュール作成部１７は、次のポーリングスケジュール処理の開始要求が発行される前に（ステップＳ３：ＮＯ）、監視側記憶部１２に欠損している端末側時刻付き計測データ（欠損データ）があるか否かを判定する。すなわち、前の第２所定期間Ｂの終了時から第２所定期間Ｂ以内か否かを判定する。
【００６１】
このとき、データ状態取得部１５によって監視側記憶部１２に欠損データがあると判定された場合には、スケジュール作成部１７は、ステップＳ５において、欠損データを補完する補完ポーリング通信処理を行う。この補完ポーリング通信処理は、スケジュール作成部１７によって、欠損している端末側時刻付き計測データを端末２０に要求しても第２所定期間Ｂを超えない場合に、欠損している端末側時刻付き計測データを取得するようポーリングスケジュールを作成する。すなわち、既存のポーリングスケジュールに欠損データを取得するポーリング順序を追加して、ポーリング通信を行う。
【００６２】
この補完ポーリング通信処理は、ステップＳ３で次のポーリングスケジュール処理の時間ではなく、ステップＳ４にて欠損データが無くなったと判定されるまで繰り返される。そして、ステップＳ３にて次のポーリングスケジュール処理の開始要求が発生した場合（ステップＳ３：ＹＥＳ）には、ステップＳ１以降に処理を戻す。
【００６３】
これにより図６に示すように、ある第１所定期間Ａにおける端末側時刻付き計測データＤｘが監視装置１０に記憶されていない場合、第２所定期間Ｂ内における空き時間において、欠損している端末側時刻付き計測データを取得するようポーリング通信を行う。
【００６４】
以上のように、この監視システムによれば、端末側時刻付き計測データが欠損している場合には、第２所定期間Ｂを超えない限り、欠損している端末側時刻付き計測データを取得できる。これにより、第２所定期間Ｂ内における余裕時間に過去に欠損した端末側時刻付き計測データを取得できる。
【００６５】
つぎに、本発明の実施形態として示す上述の監視システムにおいて、端末側時刻付き計測データの欠損を可能な限り復旧するものについて説明する。
【００６６】
この監視システムは、端末２０が、端末側時刻付き計測データの項目として端末側時刻付き計測データの保有数を有する。そして、監視装置１０のスケジュール作成部１７は、端末側時刻付き計測データの保有数を、監視側時刻と関連付けられる計測データよりも優先度の低い計測データとしてポーリングスケジュールを作成する。このポーリングスケジュールは、例えば図７のようになる。また、端末２０は、保有数ではなく、保有期間を有していても実質的に同じである。
【００６７】
この監視システムは、図７（ａ）及び図８（ａ）に示すように、３Ｎ＋２分の第２所定期間Ｂにおいて、監視装置１０から端末番号が１〜５の端末２０に順次ポーリング信号を送信する。これにより、監視装置１０は、端末番号が１〜５の端末２０から高優先度データＡ１〜Ａ５を取得できる。
【００６８】
その後、図７（ｂ）及び図８（ｂ）に示すように、第１所定期間Ａが満了する前の５９分において、監視装置１０から端末番号が１〜５の端末２０に高優先度データＡ１〜Ａ５を取得するポーリング信号を順次送信する。次いで、監視装置１０は、端末番号が１〜５の端末２０に期間計測データの保有数Ｅ１〜Ｅ５を取得するポーリング信号を順次送信する。これにより、監視装置１０は、端末番号が１〜５の端末２０から期間計測データの保有数Ｅ１〜Ｅ５を取得できる。
【００６９】
このような監視システムにおいて、監視装置１０は、上述した図５のステップＳ５における補完ポーリング通信時に、期間計測データの保有数Ｅ１〜Ｅ５から、端末２０から欠損データを取得可能か否かを判定する。監視装置１０は、欠損している端末側時刻付き計測データが、端末２０から取得した保有数に応じた保有期間内である場合には、補完ポーリング通信処理によって欠損データを取得する。一方、監視装置１０は、欠損している端末側時刻付き計測データが、端末２０から取得した保有数に応じた保有期間内ではない場合には、補完ポーリング通信処理を行わない。
【００７０】
具体的には、図９に示すように、監視側記憶部１２のうち端末側時刻付き計測データの記憶領域に端末側時刻付き計測データが記憶されているとする。図９によれば、監視側記憶部１２には、Ｘ日０時の端末側時刻付き計測データからＸ＋２日２３時の端末側時刻付き計測データが記憶されている必要がある。しかし、監視側記憶部１２には、図９中○で示すように、Ｘ＋２日２３時の期間端末側時刻付き計測データからＸ＋２日０時の端末側時刻付き計測データしか記憶されていない。この状況において、データ状態取得部１５は、Ｘ日０時の端末側時刻付き計測データからＸ＋１日２３時の端末側時刻付き計測データまでが欠損データであると判定する。
【００７１】
一方、端末２０には、図１０の○に示すように、Ｘ＋２日２３時の期間端末側時刻付き計測データからＸ＋１日０時の端末側時刻付き計測データのみが保存されており、図中●のようにＸ＋１日０時より以前の端末側時刻付き計測データは保存されていない。端末側時刻付き計測データが保存されていない原因としては、停電や動作エラー等が挙げられる。
【００７２】
このような状況において、端末２０は、端末側時刻付き計測データを端末側記憶部２３に記憶する度に末側時刻付き計測データの保有数を更新している。この端末側時刻付き計測データの保有数は、監視装置１０によるポーリング通信によって監視装置１０に取得される。これにより、監視装置１０は、端末２０の保有数から、Ｘ＋１日２３時の端末側時刻付き計測データからＸ＋１日０時の端末側時刻付き計測データのみを補完ポーリング通信処理によって取得して復旧できることを判断できる。換言すれば、監視装置１０は、欠損データのうち、端末２０の端末側記憶部２３に記憶されていないＸ日２３時からＸ日０時の端末側時刻付き計測データは補完ポーリング通信処理を行っても復旧できないために、補完ポーリング通信処理を行わない。
【００７３】
以上のように、この監視システムによれば、監視装置１０によって端末２０に記憶されている端末側時刻付き計測データを把握できるので、端末２０に記憶されていない端末側時刻付き計測データを取得する補完ポーリング通信処理を回避できる。したがって、この監視システムによれば、補完ポーリング通信処理の通信ロスを減らして、端末側時刻付き計測データの欠損に対する復旧を短時間で行うことができる。
【００７４】
つぎに、本発明の実施形態として示す上述の監視システムにおいて、監視装置１０に対して外部から割り込み要求が発生したことに対処するものついて説明する。
【００７５】
この監視システムは、監視装置１０に対して計測データを要求する割り込み要求が発生した場合に、端末側時刻付き計測データよりも優先度が高い高優先度データを取得するポーリング通信が終了した時まで待機して割り込み要求に応じたポーリング通信を行う。この監視システムは、図２に示したように、監視装置１０に外部システム３０が接続されている。この外部システム３０は、端末２０の情報を要求するものであり、監視装置１０に対して上位システムやユーザが操作する携帯端末等が挙げられる。例えば端末２０がユーザが所有する設備の電力計やセンサ等である場合、ユーザが所有する携帯端末によって端末２０の状態を送信する要求が発生して、監視装置１０に供給される。
【００７６】
監視装置１０は、外部システム３０に接続された外部通信部１６を備える。外部通信部１６は、外部システム３０と通信可能となるよう通信設定がされている。監視装置１０は、図１１に示すように、外部通信部１６によって外部システム３０から要求を受信すると、ポーリング通信に対する割り込みを発生させ、ステップＳ１１以降の処理を行う。
【００７７】
ステップＳ１１において、処理部１１は、スケジュール作成部１７によって作成されたポーリングスケジュールを参照して、現在が高優先度データを取得するポーリングスケジュール処理中か否かを判定する。高優先度データを取得するポーリングスケジュール処理中である場合には、割り込みに対するポーリング通信処理を待機する。高優先度データを取得するポーリングスケジュール処理ではない場合には、ステップＳ１２に処理を進める。
【００７８】
ステップＳ１２において、処理部１１は、定期的に低優先度データを取得するための各端末２０に対するポーリング通信処理が終了したか否かを判定する。また、処理部１１は、上述した補完ポーリング通信処理によって低優先度データを取得するための各端末２０に対するポーリング通信処理が終了したか否かを判定する。何れかの判定が肯定判定（ステップＳ１２：ＹＥＳ）された場合には、ステップＳ１３に処理を進める。
【００７９】
次のステップＳ１３において、監視装置１０は、割り込み要求に応じた端末２０の情報を取得するための割り込みポーリング通信処理を行う。このとき、監視側通信部１４は、割り込み要求によって示された端末２０及び情報の種類を取得するようポーリング信号を送信して、端末２０の情報を取得する。
【００８０】
次のステップＳ１３において、監視装置１０は、外部通信部１６によって、割り込み要求を発行した外部システム３０に、割り込みポーリング通信処理によって取得した端末２０の情報を送信する応答処理を行う。
【００８１】
このような監視システムによれば、具体的には図１２に示す動作を行う。
【００８２】
図１２（ａ）に示すように、高優先度データを取得するためのポーリングスケジュール処理中ではない場合、次のポーリング順序で外部システム３０からの要求に応じたポーリング通信処理を行う。例えば、低優先度データＢ３を取得するポーリング通信処理中に、外部システム３０から端末番号が１の端末２０の低優先度データＤ１を取得する要求を外部通信部１６が取得したとする。この場合、外部通信部１６は、割り込み要求を発生させ、次のポーリング順序の低優先度データＢ４よりも先に、低優先度データＤ１を取得するためのポーリング通信処理を行う。
【００８３】
一方、図１２（ｂ）に示すように、高優先度データを取得するためのポーリングスケジュール処理中である場合、高優先度データＡ１〜Ａ５のポーリング通信処理を終了した後に、外部システム３０からの要求に応じたポーリング通信処理を行う。例えば、高優先度データＡ３を取得するポーリング通信処理中に、外部システム３０から端末番号が１の端末２０の低優先度データＤ１を取得する要求を外部通信部１６が取得したとする。この場合、外部通信部１６は、割り込み要求を発生させ、高優先度データＡ１〜Ａ５のポーリング通信処理が終了した次のポーリング順序で、ポーリング順序の低優先度データＢ１に代えて、低優先度データＤ１を取得するためのポーリング通信処理を行う。
【００８４】
以上のように、この監視システムによれば、高優先度データを取得するためのポーリング通信処理中に割り込みが発生した場合には、当該ポーリング通信処理が終了するまで割り込みに応じたポーリング通信処理を行わない。したがって、この監視システムによれば、割り込みが発生した場合であっても、高優先度データの実時間性を確保しつつ、割り込みに対するポーリング通信処理を行うことができる。
【００８５】
つぎに、上述した監視システムにおいて、複数の端末２０で計時している端末側時刻と、監視装置１０で計時している監視側時刻とを同期させることについて説明する。
【００８６】
この監視システムは、スケジュール作成部１７によって、高優先度データよりも優先度の低い低優先度データとして端末側時刻を監視側時刻に同期させるために必要な情報を設定してポーリング順序を決定する。そして、監視装置１０は、監視側通信部１４によって、当該低優先度データとして設定されたポーリング順序で、端末側時刻を監視側時刻に同期させるために必要な情報を各端末２０に送信する。この同期に必要な情報としては、端末側時刻に、ポーリング信号を送信する通信時間及びポーリング順序に応じた遅延時間を加算した時刻が挙げられる。
【００８７】
監視装置１０のスケジュール作成部１７は、ポーリングスケジュールに、時刻同期に必要な低優先度データとしてのＴ１〜Ｔ５を送信するポーリング順序を決定する。このとき、スケジュール作成部１７は、例えば図３に示したように、高優先度データの後に低優先度データとしてのＴ１〜Ｔ５を送信するようスケジュールする。すなわち、高優先度データを送信しない空き時間に低優先度データとしてのＴ１〜Ｔ５を送信させるようスケジュールする。これにより、図１３のように、高優先度データＡ１〜Ａ５の次のポーリング順序で低優先度データとしてのＴ１〜Ｔ５を、端末番号が１〜５の端末２０に順次送信する。そして、端末２０は、低優先度データとしてのＴ１〜Ｔ５を受信すると、端末側時計部２４の端末側時刻を、監視側時刻に同期させる。
【００８８】
以上のように、この監視システムによれば、監視装置１０と端末２０との時刻同期に必要な情報を、高優先度データが送信されていない余裕の時間で行うことができる。したがって、この監視システムによれば、端末２０間における端末側時刻の誤差を少なくすることができ、より端末側時刻付き計測データに関連付けられる端末側時刻の精度を高くできる。また、この監視システムによれば、監視側記憶部１２に記憶された端末側時刻付き計測データと監視側時刻付き計測データとの時刻誤差を少なくできる。
【００８９】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００９０】
１０  監視装置
１１  処理部
１２  監視側記憶部
１３  監視側時計部
１４  監視側通信部
１５  データ状態取得部
１６  外部通信部
１７  スケジュール作成部
２０  端末
２１  端末側通信部
２２  端末側計測部
２３  端末側記憶部
２４  端末側時計部
３０  外部システム
【図１】
0005724066.tif 000002
【図２】
0005724066.tif 000003
【図３】
0005724066.tif 000004
【図４】
0005724066.tif 000005
【図５】
0005724066.tif 000006
【図６】
0005724066.tif 000007
【図７】
0005724066.tif 000008
【図８】
0005724066.tif 000009
【図９】
0005724066.tif 000010
【図１０】
0005724066.tif 000011
【図１１】
0005724066.tif 000012
【図１２】
0005724066.tif 000013
【図１３】
0005724066.tif 000014